(57)【特許請求の範囲】
【請求項１】
引出し底部（８）用の搬送レール（１７）であって、
本搬送レール（１７）は、垂直受け部（１８）と、略水平に延出する受け部（１９）とを有しており、
該受け部（１９）は、その使用位置において、前記垂直受け部（１８）の下方領域に設置されており、
前記垂直受け部（１８）には、前記受け部（１９）の上方で、該垂直受け部（１８）の両端に対して離れた位置に、略水平に延出する脚部（２０）が配置されており、
前記脚部（２０）は、該脚部（２０）から前記受け部（１９）の方向に突出する迫出部（２１）を有することを特徴とする搬送レール。
【請求項２】
前記脚部（２０）の前記迫出部（２１）は、本搬送レール（１７）の前記垂直受け部（１８）に略平行に延びていることを特徴とする請求項１記載の搬送レール。
【請求項３】
前記脚部（２０）は本搬送レール（１７）から打ち抜かれていることを特徴とする請求項１又は２に記載の搬送レール。
【請求項４】
本搬送レール（１７）の長手方向に互いに離れて配置されている２以上の脚部（２０）が提供されていることを特徴とする請求項１から３のいずれかに記載の搬送レール。
【請求項５】
本搬送レール（１７）に接続された迫出面（２３）が提供されており、
当該迫出面（２３）に前記引出し底部（８）の上側が、取り付け位置において、当接することを特徴とする請求項１から４のいずれかに記載の搬送レール。
【請求項６】
前記迫出面（２３）は、本搬送レール（１７）の前記垂直受け部（１８）に隣接する水平延出受け部（２２）に提供されていることを特徴とする請求項５記載の搬送レール。
【請求項７】
請求項１から６のいずれかに記載の搬送レール（１７）を備えた引出し壁部（１１）。
【請求項８】
前記引出し壁部（１１）は、引出し後壁（１１ａ）であることを特徴とする請求項７に記載の引出し壁部（１１）。
【請求項９】
請求項７又は８記載の引出し壁部（１１）を少なくとも１枚含んだ引出し（３）。
【発明の詳細な説明】
【技術分野】
【０００１】
本発明は、引出し底部用の搬送レールに関する。
【背景技術】
【０００２】
この搬送レールは、垂直受け部と、ほぼ水平に延出する受け部とを有する。この水平受け部は、その使用位置において、垂直受け部の下方領域に設置されている。垂直受け部には、水平延出受け部の上方で、垂直受け部の両端に対して離れた位置に、ほぼ水平に延出する脚部が配置されている。
【０００３】
さらに本発明は、特に説明するような搬送レールを含んだ引出し後壁である引出し壁部と、そのような引出し壁部を含んだ引出しとにも関する。
【０００４】
引出し底部は、例えば搬送レールの水平受け部に接する引出し底部によって引出し壁部に接続されているか、接続される搬送レールに保持または固定され、打ち抜かれた突起部によって搬送レールに締め付け関係で保持される。搬送レールは従来技術でも知られており、異なる厚みの引出し底部の装着を選択的に可能にするものである（例：ＥＰ０８５８７５３Ａ２、ＥＰ０２９１７８１Ａ１およびＡＴ３８９２１５Ｂ）。
【０００５】
ＷＯ２０１０/０４６１７５Ａ２の図３１は、さらに薄い引出し底部を支持するため、あるいはさらに厚い引出し底部を横方向に固定するかぎづめとしての、横方向受け部を備えた搬送レールを開示しており、それら受け部は引出し底部内へ横方向に押込められる。それらの横方向かぎづめの押込みは、相対的に大きな力を必要とするか、引出し底部の木材内へ受け部を横方向に押し込むことが困難を伴ってのみ可能であるか、またはそうすることが全く不可能であるので、横方向受け部は過剰に太くないかもしれない。しかしながら、横方向受け部は十分に太くなく、特に引出しに大きな負荷がかかる場合、それらは折れ曲がる可能性があり、引出し底部が搬送レールから脱落することがある。さらに、そのような受け部を使用すると、搬送レールに対して引出し底部が正確に予め配置される前であっても、横方向受け部の望まない折れ曲がりが生じる可能性がある。
【発明の概要】
【発明が解決しようとする課題】
【０００６】
したがって本発明の目的は、上述の欠点を回避することができる、本明細書の当初部分で述べたような搬送レールの提供である。
【課題を解決するための手段】
【０００７】
本発明によれば、これは請求項１の特徴によって達成される。本発明のさらなる有利な形態は、従属請求項に記載されている。
【０００８】
したがって本発明によれば、水平延出脚部は、脚部から水平延出受け部の方向に突出する迫出部（突出部、abutment projecting）を有する。
【０００９】
このように、垂直受け部に配置された水平延出脚部は相対的に薄い引出し底部のための支持面として使用でき、脚部の下方に突出する迫出部は、さらに厚い引出し底部のための横方向接触面として選択的に使用できる。この場合、迫出部は、引出し底部内に脚部または迫出部を横方向に押込むか、または引出し底部の凹部に落ち込ませることなく、相対的に厚い引出し底部の側面に当接することができる。水平に延出する脚部が引出し底部へと押込まれる必要がないことは、脚部または迫出部の折れ曲がりを大幅に防止できるよう、脚部またはそれに配置された迫出部が相当に頑強であることを意味する。
【００１０】
１実施態様では、脚部の迫出部は搬送レールの垂直迫出部に対してほぼ平行に延びており、それによって相対的に薄い引出し底部の端面は面接触状態で垂直受け部に当接できる。したがって迫出部は略Ｌ形状でよい。
【００１１】
構造的に単純な変形例では、脚部は搬送レールの打ち抜き部（延出部）であり、この場合、迫出部は脚部を折り曲げることによって製造できる。あるいは、脚部と迫出部を搬送レールの適切な形状となるように製造することも可能である。したがってこの場合、搬送レール、脚部および迫出部は単体の金属から製造される。
【００１２】
本発明の１実施態様では、搬送レールの長手方向に互いに離れて配置された２本以上の脚部が提供されており、それら脚部は、搬送レールの使用位置で下方に突出する迫出部をそれぞれ有する。
【００１３】
本発明による引出し壁部、特に引出し後壁は、説明した搬送レールによって特徴付けられる。本発明による引出しはそのような引出し壁部を少なくとも１枚有する。
【００１４】
本発明のさらなる詳細と利点を図面に示した実施例によって解説する。
【図面の簡単な説明】
【００１５】
【図１】引出し延出ガイドによって家具枠体に対して移動可能に取り付けられた引出しを備えた家具の斜視図である。
【図２】引出し底部と引出し後壁の支持レールとそれに接続された引出し側壁の斜視図である。
【図３ａ】搬送レールの断面を示しており、相対的に薄い引出し底部と、相対的に厚い引出し底部とが、搬送レールにそれぞれ受領されている。
【図３ｂ】搬送レールの断面を示しており、相対的に薄い引出し底部と、相対的に厚い引出し底部とが、搬送レールにそれぞれ受領されている。
【発明を実施するための形態】
【００１６】
図１は、家具１の斜視図であり、引出し３は引出し延出ガイド４によって、引出し枠体２に対して移動可能に取り付けられている。図示の実施例では、引出し延出ガイド４は３つの部分からなるレールシステムの形態であり、家具枠体２に固定される枠体レール５、枠体レールに対して移動可能な中央レール６および延出可能な引出しレール７を有する。まだ説明していない搬送レール１７は、例えば引出しレール７に接続できるか、またはそこに、特に損傷を引き起こさない形態で解放可能に接続できる。引出し３は、以降に図面で図示するように搬送レール１７に接続される引出し底部８をそれぞれ有する。搬送レールは、例えば引出し後壁１１ａおよび/または引出し側壁１５（特にそれと一体式）に接続されるか、または固定装置によって、引出し後壁１１ａおよび/または引出し側壁１５に接続可能である。
【００１７】
図２は、レール部材１０、引出し底部８および引出し後壁１１ａの斜視図である。少なくとも１つの縁領域において、引出し底部８は階段状溝９、すなわち、引出し底部８の縁側に開いており、引出し底部８のほぼ全長に渡って延びる陥没部を有する。取り付け位置において、溝９は、垂直配置部９ａと水平延出部９ｂを形成する。引出し底部８のこの様な形状のおかげで、引出し底部８の表面は相対的に低く配置でき、引出しレール７（図１）の上縁にさらに接近して移動できる。よって引出し底部８の縁領域は、その局所的に強度が低下しても、レール部材１０によって補償されるので、引出し底部８の安定性を損なうことなく相対的に薄い。レール部材１０は、引出し底部８の下側に当接するための第１水平接触受け部１２と、溝９の水平部分９ｂに当接するための上方水平脚部１３とを有し、下方水平接触受け部１２と上方水平脚部１３は、好適にはほぼ垂直であるか、または折れ曲がった第２接触受け部１４によって接続されている。第１水平接触受け部１２は、支持レール１０の長手方向に間隔を開けて提供されており、引出し底部８の下側に押付けられるか、または押込まれる複数のタブ１２ａを有する。同様の形態で第２の略垂直な接触受け部１４は、レール部材１０の長手方向に間隔を開けて提供されており、溝９の垂直部分９ａに押込まれるか、または押付けられる複数のタブ１４ａを有する。第１接触受け部１２のタブ１２ａと第２接触受け部１４のタブ１４ａはそれぞれが２つの接触受け部１２と１４の陥没部内で略同一平面となり、引出し底部８に向かって保持位置で曲げられる。引出し部材１０には、引出し底部８の縁領域の上側を支持する突起部１６を有する引出し側壁１５が接続されている。
【００１８】
引出し後壁１１ａの形態の引出し壁部１１に関して、引出し後壁１１ａは引出し底部８を受領するための搬送レール１７を有する。搬送レール１７は、垂直受け部１８と、使用位置において垂直受け部１８の下方領域に配置されている略水平に延びる受け部１９とを有する。垂直受け部１８には、その上方端および下方端から離れた垂直受け部１８に取り付けられた水平に延びる脚部２０が配置されている。脚部２０は、好適にはＬ形状である下方に突出する迫出部を有する。脚部２０の機能は以降の図面を利用してさらに詳説する。
【００１９】
図３ａは、図示の実施例では搬送レール１７に一体的に接続された引出し後壁１１ａの断面図である。搬送レール１７は、垂直受け部１８と下方水平受け部１９を有する。垂直受け部１８の上端に隣接して、引出し底部８の上側のための迫出部表面２３を有する水平受け部２２が存在する。垂直受け部１８と下方水平受け部１９と共に上方水平受け部２２はＵ形状部を形成する。垂直受け部１８の略半分の高さに配置されているのは、支持手段、または異なる厚みの引出し底部８のための横方向迫出部として選択的に提供される脚部２０である。脚部２０には下方に突出する迫出部２１が提供されている。図３ａでは、相対的に薄い厚み（Ｂ）の引出し底部８が搬送レール１７に取り付けられている。引出し底部８が脚部２０の上側と搬送レール１７の上方水平受け部２２との間で受領されるよう、引出し底部８は脚部２０の上側に配置されている。引出し底部８の厚み（Ｂ）は約８ｍｍでよい。
【００２０】
一方、図３ｂは、厚み（Ｂ１）が相対的に厚い引出し底部８を有する搬送レール１７の断面を示している。引出し底部８が下方水平受け部１９と上方水平受け部２２との間で受領されるよう、引出し底部８は脚部２０の下方に突出する迫出部２１に横方向に当接する。厚み（Ｂ１）の相対的に厚い引出し底部８の上側が迫出面２３にて十分に支持され続けるよう、上方水平受け部２２の幅は脚部２０の上側の寸法の約２倍とすることができる。厚み（Ｂ１）の引出し底部８はいくらか短く切断することができるが、この場合、搬送レール１７のＵ形状部に十分に受領されなければならない。引出し底部８の厚み（Ｂ１）は約１６ｍｍでよい。
【００２１】
本発明は解説した実施例に限定されず、「請求の範囲」内の技術的変形例を含む。上、下、横などの説明で採用した位置関係は直接説明したものや、図面に示されたものに関し、全体的な位置の変化に応じて適宜変更されるべきものである。最後に、搬送レール１７は引出し後壁１１ａだけでなく、引出し側壁１５および/または引出し前方パネルに配置することもできる。
【図１】
0005897586.tif 000002
【図２】
0005897586.tif 000003
【図３ａ】
0005897586.tif 000004
【図３ｂ】
0005897586.tif 000005